(57)【要約】      （修正有）【課題】ビータによる低摩擦及び低ノイズな動作を可能し、休止位置への復帰がより機動的に行われるドラムセットのバスドラム用フットペダル装置を提供する。【解決手段】本装置は、フレーム１に回転自在に装着された軸２と、該軸に支持されたビータ３と、該ビータと接続し、操作により上記ビータを回動させるペダル４とを基本的に有するフットペダル装置である。また、本装置は、移動した上記ビータを休止位置に戻す永久磁石復帰手段を実現する。該永久磁石復帰手段は、上記軸周りに同心円状に配置された少なくとも一個の内側及び少なくとも一個の外側永久磁石配列５、５’、６、６’により形成される。【選択図】図１
0003167538.tif 000002
【実用新案登録請求の範囲】
【請求項１】
a.フレーム（１）に回転自在に装着された軸（２）と、
b.前記軸（２）に支持されたビータ（３）と、
c.前記ビータ（３）と接続し、操作により前記ビータ（３）を回動させるペダル（４）と、
d.移動した前記ビータ（３）を休止位置に戻す永久磁石復帰手段と、を有するドラムセットのバスドラム用フットペダル装置であって、
前記永久磁石復帰手段は、前記軸周りに同心円状に配置された少なくとも各一個の内側及び外側永久磁石配列（５、５’；６、６’）により形成されることを特徴とするバスドラム用フットペダル装置。
【請求項２】
二個の永久磁石配列（５、５’）の内の一個は前記軸（２）に回転固定方式で配置され、他の永久磁石配列（６、６’）はフレーム（１）に装着されることを特徴とする請求項１に記載のフットペダル装置。
【請求項３】
前記内側永久磁石配列（５、５’）は前記軸（２）に回転固定方式で配置され、前記外側永久磁石配列（６、６’）はフレーム（１）に装着されることを特徴とする請求項１に記載のフットペダル装置。
【請求項４】
前記フレームに装着された前記永久磁石配列（６、６’）は、回転方式で収容され、前記フレーム（１）の所望の位置に固定可能であることを特徴とする請求項２又は３に記載のフットペダル装置。
【請求項５】
前記永久磁石配列（５、５’；６、６’）は、管部形状及び/又はスリーブ形状に構成されることを特徴とする請求項１乃至４の何れか一項に記載のフットペダル装置。
【請求項６】
前記永久磁石配列（５、５’；６、６’）は、非磁性材料から成る磁石ホルダ（５ａ、６ａ）と、少なくとも一個の永久磁石（５ｂ、６ｂ）とをそれぞれ備えることを特徴とする請求項１乃至５の何れか一項に記載のフットペダル装置。
【請求項７】
前記永久磁石配列（５、５’；６、６’）の各々は、複数の永久磁石（５ｂ、６ｂ）を有することを特徴とする請求項１乃至６の何れか一項に記載のフットペダル装置。
【請求項８】
内側及び外側永久磁石配列（５、５’；６、６’）は、前記軸（２）に支持される前記ビータ（３）の各両側に設けられることを特徴とする請求項１乃至７の何れか一項に記載のフットペダル装置。
【請求項９】
前記ビータ（３）の前記休止位置は、前記フレーム（１）に装着される前記永久磁石配列（６、６’）を回転して調節可能であることを特徴とする請求項２に記載のフットペダル装置。
【請求項１０】
各二個の内側及び外側永久磁石配列（５、５’；６、６’）が設けられ、いずれの場合にも、各一個の内側及び外側永久磁石配列が相互に協働するとともに、休止位置は、前記フレーム（１）に装着された二個の永久磁石配列（５、５’；６、６’）を同様に回転して調節され、また、復帰力は、前記フレーム（１）に装着された二個の永久磁石配列（５、５’；６、６’）を相違に回転して調節されることを特徴とする請求項１乃至９の何れか一項に記載のフットペダル装置。
【考案の詳細な説明】
【技術分野】
【０００１】
本考案は、ドラムセットのバスドラムに用いられるフットペダル装置に関する。
【背景技術】
【０００２】
フットペダル装置は、ドラムセットのバスドラムを足により演奏するために使用される。フットペダル装置は、ペダルと接続し、軸（回転軸）に支持されるビータ（beater）を一般的に備え、ペダルの操作によりビータを回動させる。そのため、ペダルは、例えばチェーンやレザーベルトを介してビータと接続する。さらに、フットペダル装置には、可変弾性部材（可変スプリング）により通常形成される復帰手段（restoring means）が設けられており、移動したビータを休止位置に戻すことができる。
【０００３】
しかしながら、使用する部材が相互に接触するため、そのような構造には損耗及び雑音発生などの不都合が伴う。また、使用する通常金属製の円筒ばねの種類にもよるが、ペダルの休止位置周辺において力の発生が実質的に線形であり、偏心手段により休止位置を調節できる。しかし、線形的な力の発生では、復帰動作が十分に速く行われないという欠点がある。
【０００４】
JP-A 09 7203022には、移動したビータをその休止位置に戻すための永久磁石復帰手段を用いたドラムセット用フットペダル装置が開示されている。しかしながら、この発明には、復帰力を与えるために必要な復帰手段の可変構成に莫大な費用が掛かるという欠点が存在する。また、上記復帰手段の開放された構成により、汚れによる被害や損害が発生する危険性がある。
【先行技術文献】
【特許文献】
【０００５】
【特許文献１】JP-A 09 7203022
【考案の概要】
【考案が解決しようとする課題】
【０００６】
本考案は、操作しても摩擦及び騒音が極力発生しないことを特徴とするフットペダル装置の提供を目的とする。また、休止位置への復帰ができる限り機動的に行われる。
【０００７】
上記目的は、本考案の請求項１の特徴により達成される。
【課題を解決するための手段】
【０００８】
本考案による装置は、フレームに回転自在に装着された軸と、上記軸に支持されたビータと、上記ビータと接続し、操作により上記ビータを回動させるペダルとを基本的に有するドラムセットのバスドラム用フットペダル装置である。また、本装置は、移動した上記ビータを休止位置に戻す永久磁石復帰手段を提供する。上記永久磁石復帰手段は、上記軸周りに同心円状に配置された少なくとも一個の内側及び少なくとも一個の外側永久磁石配列により形成される。
【０００９】
上記永久磁石配列の同心配列は、ビータによる低摩擦及び低ノイズな動作を可能とする。また、休止位置への復帰はより機動的に行われる。
【００１０】
本考案の更なる構成は、従属項の事項である。
【００１１】
本考案の一態様によると、フットペダル装置において、二個の永久磁石配列の内の一個は上記軸に回転固定方式で配置され、他の永久磁石配列はフレームに装着される。また、好ましくは、上記内側永久磁石配列は上記軸に回転固定方式で配置され、上記外側永久磁石配列はフレームに装着される。
【００１２】
上記フレームに装着された上記永久磁石配列は、回転方式で収容され、上記フレームの所望の位置に固定可能である。また、上記ビータの上記休止位置は、上記フレームに装着される上記永久磁石配列を回転して調節可能である。
【００１３】
好ましい実施形態によると、上記永久磁石配列は、管部形状及び/又はスリーブ形状に構成される。上記永久磁石配列は、非磁性材料から成る磁石ホルダと、少なくとも一個の永久磁石とをそれぞれ有してもよい。実際には、永久磁石配列の各々は、複数の永久磁石を有する。
【００１４】
本フットペダル装置の好ましい実施形態によると、内側及び外側永久磁石配列は、上記軸に支持される上記ビータの各両側に設けられる。休止位置は、上記フレームに装着された二個の永久磁石配列を同様に回転して調整可能である。また、復帰力は、上記フレームに装着された二個の永久磁石配列を相違に回転して調節又は変更可能である。
【００１５】
本考案の更なる利点及び実施形態を、記述と図面を用いて下記に詳細に説明する。
【図面の簡単な説明】
【００１６】
【図１】図１は、本考案によるフットペダル装置の立体分解図を示す。
【図２】図２は、本考案によるフットペダル装置の立体図を示す。
【図３】図３は、軸に沿った断面図を示す。
【図４ａ】図４ａは、第１の実施形態による休止位置にある永久磁石配列の断面図を示す。
【図４ｂ】図４ｂは、第２の実施形態による休止位置にある永久磁石配列の断面図を示す。
【図５】図５は、ビータが移動位置にあるフットペダル装置の部分断面図を示す。
【図６】図６は、本考案による休止位置が移動したフットペダル装置の立体図を示す。
【図７ａ】図７ａは、第１の休止位置にあるフットペダル装置の部分断面図を示す。
【図７ｂ】図７ｂは、第２の休止位置にあるフットペダル装置の部分断面図を示す。
【図８】図８は、本考案による復帰力を調節したフットペダル装置の立体図を示す。
【図９ａ】図９ａは、第１の復帰力調節状態にある第１の永久磁石配列の断面図を示す。
【図９ｂ】図９ｂは、第１の復帰力調節状態にある第２の永久磁石配列の断面図を示す。
【図１０ａ】図１０ａは、第２の復帰力調節状態にある第１の永久磁石配列の断面図を示す。
【図１０ｂ】図１０ｂは、第２の復帰力調節状態にある第２の永久磁石配列の断面図を示す。
【考案を実施するための形態】
【００１７】
図１及び２に示すドラムセットのバスドラム用フットペダル装置は、フレーム１内に回転自在に装着される軸（回転軸）２、上記軸に支持されるビータ３、及びビータと接続するペダル４を基本的に備える。ペダル４の踏み込みによって、ビータ３は軸２周りに回動し、ドラムのヘッド（振動膜）を叩打する（不図示）。
【００１８】
同様に、移動したビータ３をその休止位置に戻す永久磁石復帰手段が提供される。上記永久磁石手段は、二個の内側永久磁石配列５、５’及び二個の外側永久磁石配列６、６’により形成される。各一個の内側及び外側永久磁石配列は、永久磁石配列が軸２周りに同心円状に配置されるように両側のそれぞれから軸２に嵌入される。そのため、上記永久磁石配列５、６及び５’、６’は管部（tube pieces）形状及び/又はスリーブ形状に形成される。
【００１９】
フレーム１は、その内径が外側永久磁石配列６、６’の外径よりもほんの僅かに大きい二個のスリーブ状の受け部材１ａ、１ｂを有する。その結果、外側永久磁石配列は、受け部材に対して回転可能なように、受け部材１ａ及び１ｂ内でできるだけ僅かな隙間間隔で保持される。外側永久磁石配列６、６’は、概略的にのみ示される例えば四角ネジの形状の固定部材７ａ及び７ｂにより、フレーム１の受け部材１ａ、１ｂ内において回転固定方法で固定できる。
【００２０】
特に図３から明らかなように、内側永久磁石配列５、５’は、ほんの僅かな隙間とともに、外側永久磁石配列６、６’に同様に支持されている。さらに、内側永久磁石配列５、５’は、軸２の端部２ａ、２ｂに回転固定方式で配置されている。これは、図４ａに示されるように、例えば扁平な領域（flattened region）又は適当な圧入（suitable press fit）手段により行うことができる。
【００２１】
軸２の中央部２ｃでは、ビータホルダ８が回転固定方式で軸に接続される。ビータ３は、ビータホルダ８に装着され、同様に、機動的に連結したリンクロッド９によりペダル４と接続する。
【００２２】
従って、ペダル４の操作はリンクロッド９を経由して軸２と一緒に回転するビータホルダ８に伝達され、その過程でビータ３の回動が生じる。上記回転固定接続により、軸２の回転が、フレーム内に固定方式で配置された外側永久磁石配列６、６’に対する、内側永久磁石配列５、５’の回転を起こさせる。
【００２３】
従って、軸２は、軸２と回転固定方式で接続するビータホルダを移動させる。また、内側及び外側永久磁石配列５、６と５’、６’は軸２に対して二個の軸受けを形成する。これにより、非常に小型な構成を可能とする。
【００２４】
また一方、内側及び外側永久磁石配列は、軸２の軸受けとして用いられるだけでなく、ペダルから圧力がなくなり次第、移動したビータ３をその休止位置に再度戻す永久磁石復帰手段を構成する。永久磁石配列の上記構成及び操作は、図４ａを参照しながら下記により詳細に説明される。
【００２５】
内側永久磁石配列５は、磁石ホルダ５ａと、磁石ホルダ５ａの非磁性材料内に埋設した３個の永久磁石５ｂを備える。同じように、非磁性材料から成り、３個の永久磁石６ｂが埋設された磁石ホルダ６ａにより外側永久磁石配列６が構成される。内側及び外側永久磁石配列５’、６’は、上記内側永久磁石配列５及び外側永久磁石配列６の構成と同じように形成される。
【００２６】
軸２とともに内側永久磁石配列５は、内側及び外側永久磁石配列５、６間の回転可動性により、内側永久磁石５ｂと外側永久磁石６ｂの対向する極性が相互に正反対になるように方向付けられる。永久磁石が外周にわたって一様に分布されるように便宜上配置されたため、内側永久磁石５ｂは外側永久磁石６ｂ（図４ａ参照）間に配置され、ビータの重量が偏位を生じさせることがある。
【００２７】
図４ｂは、永久磁石の分極のみが相違する、内側及び外側永久磁石配列５、６の第２の実施形態を示す。従って、図４ａによる二層構造では、高い磁力が得ることができる。各永久磁石配列に対する３個の永久磁石に代えて、当然に、より多い又は少ない数の永久磁石を使用できる。これは、復帰手段の復帰力及び/又は設置空間に対して影響するように使用可能な構造上の特徴を招く。上述した２つの実施形態では、永久磁石が同極に配置される。また一方、本考案との関連で、異極に配置することも当然に可能である。
【００２８】
非常に小型な形状の永久磁石配列は、軸の支持機能とビータの復帰機能の両方を実行するだけでなく、復帰力と休止位置を極めて簡易に変更することも可能である。
【００２９】
休止位置は、ビータ３からドラムのヘッドまでの距離を規定する。図７ａ及び７ｂには、二つの異なる休止位置を示される。休止位置は、初めに二個の係止部材７ａ、７ｂを緩め、続いて図６に示されるように、二個の外側永久磁石配列６、６’を受け部材１ａ、１ｂにおける回転と同一方向及び同一角度で回転することにより、非常に簡易な方法で変更できる。これを成すためには、特に図１により明らかとなるように、外側永久磁石配列の外端が回転ハンドルのように構成されている場合、有利である。調節後、係止部材７ａ、７ｂにより位置が再度固定される。そのため、ビータからドラムまでの距離は、ドラム奏者の好み又は曲の必要性に適応させることが可能となる。
【００３０】
一方、休止位置の調節に関係なく、ビータを移動位置から休止位置まで復帰させる力を変更することも可能である。図８による二個の外側永久磁石配列６、６’を逆方向に回転させて、この目的を達することができる。それによる違いは、図９ａ、９ｂと図１０ａ、１０ｂとの比較により明らかとなる。図９ａと９ｂは、二個の内側永久磁石配列５、５’が外側永久磁石配列６、６’の丁度間に配置された、二個の永久磁石配列５、６及び５’、６’の位置を示す。この位置では、最小の復帰力を設定できる。
【００３１】
二個の外側永久磁石配列６、６’が、図８に矢印で示すように、逆方向に回転される場合には、これにより、例えば、図１０ａ、１０ｂに示す位置がもたらされる。この位置では、より大きな復帰力を生じる。
【００３２】
復帰力の変更により、休止位置が変化する場合がある。復帰力が調節された後、回転と同一方向及び同一角度に二個の外側永久磁石配列を移動させることにより、休止位置を所望の距離に再度修正できる。互いに関連した二個の外側永久磁石配列６、６’の更なる移動位置がないことが重要である。
【図１】
0003167538.tif 000003
【図２】
0003167538.tif 000004
【図３】
0003167538.tif 000005
【図４ａ】
0003167538.tif 000006
【図４ｂ】
0003167538.tif 000007
【図５】
0003167538.tif 000008
【図６】
0003167538.tif 000009
【図７ａ】
0003167538.tif 000010
【図７ｂ】
0003167538.tif 000011
【図８】
0003167538.tif 000012
【図９ａ】
0003167538.tif 000013
【図９ｂ】
0003167538.tif 000014
【図１０ａ】
0003167538.tif 000015
【図１０ｂ】
0003167538.tif 000016